(57)【特許請求の範囲】
【請求項１】
子局装置と接続する光通信路に接続可能な複数のポートを備える親局装置であって、
前記ポートを介して前記子局装置から信号を受信し、前記ポートを介して前記子局装置へ信号を送信するポート制御部、を前記ポートごとに備え、
前記ポートに接続される前記子局装置との間の通信に用いる情報であり前記子局装置の固有情報を含む設定情報を前記ポートごとに管理する設定情報管理部と、
前記設定情報管理部が管理している前記設定情報を前記ポート制御部へ設定する接続管理部と、
を備え、
前記ポート制御部は、前記子局装置から受信した信号に格納された前記子局装置の固有情報が、設定された前記設定情報内に存在しない場合、前記接続管理部へ前記固有情報を通知し、
前記接続管理部は、前記ポート制御部から通知された前記固有情報に対応する前記設定情報を前記設定情報管理部から選択し、選択した前記設定情報を該ポート制御部へ設定することを特徴とする親局装置。
【請求項２】
子局装置と接続する光通信路に接続可能な複数のポートを備える親局装置であって、
前記ポートを介して前記子局装置から信号を受信し、前記ポートを介して前記子局装置へ信号を送信するポート制御部、を前記ポートごとに備え、
前記ポートに接続される前記子局装置との間の通信に用いる設定情報を前記ポートごとに管理する設定情報管理部と、
前記設定情報管理部が管理している前記設定情報を前記ポート制御部へ設定する接続管理部と、
を備え、
前記ポート制御部は、前記子局装置から受信した信号と設定された前記設定情報とに基づいて、前記設定情報を変更するか否かを判断し、前記設定情報を変更すると判断した場合、前記接続管理部へ前記設定情報の変更の要求を通知し、
前記接続管理部は、前記ポート制御部からの通知に基づいて、該ポート制御部へ設定する前記設定情報を前記設定情報管理部から選択し、選択した前記設定情報を該ポート制御部へ設定し、
複数の前記ポートのうちの１つ以上と該ポートに対応する前記ポート制御部とを冗長系とし、前記冗長系の前記ポートおよび前記ポート制御部以外の前記ポートおよび前記ポート制御部を運用系とし、
前記子局装置に接続する前記ポートを、運用系の前記ポートから冗長系の前記ポートへ切替えた後、さらに前記子局装置に接続する前記ポートを運用系の前記ポートへ切替えた後に、切替え後の前記ポートに対応する前記ポート制御部は、応答を要求する信号を前記子局装置へ送信し、該信号に対する応答を一定時間以内に受信しなかった場合、前記接続管理部へ自身に設定されている前記設定情報以外の前記設定情報の取得を要求し、
前記接続管理部は、前記ポート制御部からの要求に基づいて該ポート制御部に設定されている前記設定情報以外の前記設定情報を前記ポート制御部へ入力し、
前記ポート制御部は、前記接続管理部から入力された前記設定情報に基づいて、応答を要求する信号を前記子局装置へ送信することを特徴とする親局装置。
【請求項３】
前記設定情報は、前記ポートに接続されるよう設定された前記子局装置の固有情報を含み、
前記ポート制御部は、前記子局装置から受信した信号から送信元の前記子局装置の固有情報を抽出し、抽出した前記固有情報と設定された前記設定情報に含まれる固有情報との比較結果に基づいて前記設定情報を変更するか否かを判断することを特徴とする請求項２に記載の親局装置。
【請求項４】
前記ポート制御部は、
設定された前記設定情報を保持する設定制御部と、
抽出した前記固有情報と設定された前記設定情報に含まれる固有情報との比較結果に基づいて前記設定情報を変更する装置識別部と、
を備えることを特徴とする請求項３に記載の親局装置。
【請求項５】
前記ポート制御部は、前記接続管理部から入力された前記設定情報に基づいて前記子局装置へ送信した信号に対する応答を受信した場合、該設定情報を自身に設定するよう前記接続管理部へ要求し、前記接続管理部から入力された前記設定情報に基づいて前記子局装置へ送信した信号に対する応答を一定時間以内に受信しなかった場合、自身に入力済でない前記設定情報の取得を前記接続管理部へ要求し、前記ポート制御部は、前記接続管理部から入力された前記設定情報に基づいて、応答を要求する信号を前記子局装置へ送信することを特徴とする請求項２から４のいずれか１つに記載の親局装置。
【請求項６】
前記接続管理部は、前記ポート制御部からの要求に基づいて該ポート制御部に設定されている前記設定情報以外の２つ以上の前記設定情報を前記ポート制御部へ入力することを特徴とする請求項２から５のいずれか１つに記載の親局装置。
【請求項７】
前記ポート制御部は、
設定された前記設定情報を保持する設定制御部と、
応答を要求する信号に対する応答を一定時間以内に受信しなかった場合、前記接続管理部へ自身に設定されている前記設定情報以外の前記設定情報の取得を要求する接続ポート照合部と、
を備えることを特徴とする請求項２から６のいずれか１つに記載の親局装置。
【請求項８】
前記応答を要求する信号を帯域割当通知とすることを特徴とする請求項２から４のいずれか１つに記載の親局装置。
【請求項９】
複数のポートを備える請求項１に記載の親局装置と、前記ポートに接続する光通信路を介して接続される子局装置であって、
前記親局装置から応答を要求される信号を受信した場合に、前記信号に対する応答を前記親局装置へ送信することを特徴とする子局装置。
【請求項１０】
子局装置と接続する光通信路に接続可能な複数のポートを備える親局装置における制御装置であって、
前記子局装置との通信に用いる情報であり前記子局装置の固有情報を含む設定情報を受け取り、前記複数のポートのうちの１つのポートを介して前記子局装置から信号を受信し、該ポートを介して前記子局装置へ信号を送信し、前記子局装置から受信した信号に格納された前記子局装置の固有情報が、設定された前記設定情報内に存在しない場合、前記固有情報を通知するポート制御部、
を１つ以上備えることを特徴とする制御装置。
【請求項１１】
子局装置と、前記子局装置と接続可能な複数の親局装置と、前記親局装置を管理する管理装置と、前記親局装置および前記管理装置に接続する集線装置とを備える光通信システムであって、
前記管理装置は、
前記親局装置に接続される前記子局装置との間の通信に用いる情報であり前記子局装置の固有情報を含む設定情報を前記親局装置ごとに管理する設定情報管理部と、
前記設定情報管理部が管理している前記設定情報のうち前記親局装置へ設定する設定情報を選択する接続管理部と、
前記接続管理部が選択した前記設定情報を前記集線装置へ送信する通信制御部と、
を備え、
前記集線装置は、前記管理装置から受信した前記設定情報を保持し、対応する前記親局装置へ前記設定情報を送信し、
前記親局装置は、
前記子局装置から受信した信号に格納された前記子局装置の固有情報が、前記集線装置から受信した前記設定情報内に存在しない場合、前記管理装置へ前記固有情報を送信し、
前記接続管理部は、前記親局装置から通知された前記固有情報に基づいて、該親局装置へ設定する前記設定情報を前記設定情報管理部から選択することを特徴とする光通信システム。
【請求項１２】
子局装置と接続する光通信路に接続可能な複数のポートを備え、前記ポートを介して前記子局装置から信号を受信し、前記ポートを介して前記子局装置へ信号を送信するポート制御部、を前記ポートごとに備える親局装置における接続管理方法であって、
前記ポートに接続される前記子局装置との間の通信に用いる情報であり前記子局装置の固有情報を含む設定情報を前記ポートごとに保持する第１のステップと、
前記第１のステップで保持している前記設定情報を前記ポート制御部へ設定する第２のステップと、
前記ポート制御部が、前記子局装置から受信した信号に格納された前記子局装置の固有情報が、設定された前記設定情報内に存在しない場合、前記固有情報を通知する第３のステップと、
前記第３のステップで通知された前記固有情報に対応する前記設定情報を前記第１のステップで保持した前記設定情報から選択し、選択した前記設定情報を該ポート制御部へ設定する第４のステップと、
を含むことを特徴とする接続管理方法。
【発明の詳細な説明】
【技術分野】
【０００１】
本発明は、親局装置、子局装置、制御装置、光通信システムおよび接続管理方法に関する。
【背景技術】
【０００２】
従来の光通信システムでは、光ファイバケーブル等にファイバ識別情報を付与し、局側装置と加入者側装置との間に光回線管理装置を備え、光回線管理装置が接続位置の情報を管理することによって光ファイバの接続位置の管理を行っていた（例えば、特許文献１参照）。また、光回線管理装置が、切り替え機能を備え、回線の接続を変更することによって接続を制御する方法も開示されている（特許文献２参照）。
【先行技術文献】
【特許文献】
【０００３】
【特許文献１】特許４３２７１３８号公報
【特許文献２】特開２００５−３１８５１６号公報
【発明の概要】
【発明が解決しようとする課題】
【０００４】
従来の光通信システムは、親局装置である局側装置と子局装置である加入者側装置との間の通信で用いる設定情報として、加入者側装置ごとの接続先ポートも指定している。このため、局側装置のポートが複数存在する場合に、ファイバの誤接続が発生すると、設定情報により指定された接続先ポートと実際に接続されたポートが異なり、通信ができなくなるという問題があった。また、光回線管理装置を用いて接続位置を管理すると、ファイバ誤接続を検出することができるが、この場合、光回線管理装置は、ファイバの識別情報の読み取り機能、正しい接続位置の情報と実際の接続位置との比較機能、等を備える必要がある。このため、装置コストがかかるという問題点があった。また、光回線管理装置がファイバ誤接続を検出した場合、正しい接続に切替えを行ってから通信を再開することになり、通信の再開までに時間を要するという問題があった。【０００５】
本発明は、上記に鑑みてなされたものであって、装置コストを抑えて、ファイバの誤接続が生じた場合に速やかに通信を再開することができる親局装置、子局装置、制御装置、光通信システムおよび接続管理方法を得ることを目的とする。
【課題を解決するための手段】
【０００６】
上述した課題を解決し、目的を達成するために、本発明は、子局装置と接続する光通信路に接続可能な複数のポートを備える親局装置であって、前記ポートを介して前記子局装置から信号を受信し、前記ポートを介して前記子局装置へ信号を送信するポート制御部、を前記ポートごとに備え、前記ポートに接続される前記子局装置との間の通信に用いる情報であり前記子局装置の固有情報を含む設定情報を前記ポートごとに管理する設定情報管理部と、前記設定情報管理部が管理している前記設定情報を前記ポート制御部へ設定する接続管理部と、を備え、前記ポート制御部は、前記子局装置から受信した信号に格納された前記子局装置の固有情報が、設定された前記設定情報内に存在しない場合、前記接続管理部へ前記固有情報を通知し、前記接続管理部は、前記ポート制御部から通知された前記固有情報に対応する前記設定情報を前記設定情報管理部から選択し、選択した前記設定情報を該ポート制御部へ設定することを特徴とする。
【発明の効果】
【０００７】
本発明にかかる親局装置、子局装置、制御装置、光通信システムおよび接続管理方法は、装置コストを抑えて、ファイバの誤接続が生じた場合に速やかに通信を再開することができるという効果を奏する。
【図面の簡単な説明】
【０００８】
【図１】図１は、実施の形態１のＰＯＮシステムの構成例を示す図である。
【図２】図２は、実施の形態１のＯＮＵの構成例を示す図である。
【図３】図３は、実施の形態１のＯＬＴの接続管理動作の一例を示すフローチャートである。
【図４】図４は、誤接続が生じた場合のＯＬＴ内の処理の流れを示す図である。
【図５】図５は、実施の形態２のＰＯＮシステムの構成例を示す図である。
【図６】図６は、冗長切替後の誤接続によるリンク断が発生する一例を示すチャート図である。
【図７】図７は、実施の形態２の冗長系からの切り戻し後の動作の一例を示すチャート図である。
【図８】図８は、冗長切り戻し時のＯＬＴにおける動作の一例を示すフローチャートである。
【図９】図９は、実施の形態３のＰＯＮシステムの構成例を示す図である。
【図１０】図１０は、実施の形態３の冗長切り戻し時の誤接続が生じた場合の動作の一例を示すチャート図である。
【発明を実施するための形態】
【０００９】
以下に、本発明にかかる親局装置、子局装置、制御装置、光通信システムおよび接続管理方法の実施の形態を図面に基づいて詳細に説明する。なお、この実施の形態によりこの発明が限定されるものではない。
【００１０】
実施の形態１．
図１は、本発明にかかるＰＯＮシステム（光通信システム）の実施の形態１の構成例を示す図である。本実施の形態のＰＯＮシステムは、子局装置として動作する利用者側光通信装置（“Ｏｐｔｉｃａｌ  Ｎｅｔｗｏｒｋ  Ｕｎｉｔ”とも言い、以降「ＯＮＵ」と称す。）１−１〜１−ｍ（ｍは１以上の整数），２−１〜２−ｋ（ｋは１以上の整数）と、親局装置として動作する局側光通信装置（“Ｏｐｔｉｃａｌ  Ｌｉｎｅ  Ｔｅｒｍｉｎａｌ”とも言い、以降「ＯＬＴ」と称す。）１０と、スプリッタ５０−１，５０−２とを備える。
【００１１】
スプリッタ５０−１，５０−２とＯＬＴ１０は、それぞれ光ファイバ（光通信路）５１−１，５１−２で接続される。スプリッタ５０−１とＯＮＵ１−１〜１−ｍは支線ファイバで接続され、スプリッタ５０−２とＯＮＵ２−１〜２−ｋは支線ファイバで接続される。
【００１２】
ＯＬＴ１０は、ポート１１−１〜１１−ｎ（ｎは２以上の整数）、ポート制御部（制御装置）１２−１〜１２−ｎ、設定情報管理部１３および接続管理部１４を備える。ポート制御部１２−１〜１２−ｎはポート１１−１〜１１−ｎに１対１に対応する。図１では、ポート１１−１に光ファイバ５１−１が接続され、ポート１１−２に光ファイバ５１−２が接続されている。ポート１１−１〜１１−ｎは、それぞれ１つの光ファイバに接続可能である。図１では、ポート１１−１，１１−２に光ファイバ５１−１，５１−２がそれぞれ接続される例を示しているが、光ファイバが接続されるポートはこれに限定されない。
【００１３】
設定情報管理部１３は、ＯＬＴ１０全体の設定情報等であるＯＬＴ情報を保持し、ＯＬＴ情報を管理する。ＯＬＴ情報は、ポート１１−１〜１１−ｎごとの設定情報（ポート１１−１設定情報、ポート１１−２設定情報、…）を含む。接続管理部１４は、設定情報管理部１３に保持されているＯＬＴ情報のうち、ポート制御部１２−１〜１２−ｎにそれぞれ対応する設定情報を複製して、ポート制御部１２−１〜１２−ｎに入力する。
【００１４】
ポート制御部１２−ｉ（ｉ＝１，２，…，ｎ）は、装置識別部２１−ｉ，設定制御部２２−ｉ，光送受信器２３−ｉおよび制御部２４−ｉを備える。光送受信器２３−ｉは、ポート１１−ｉに接続される光ファイバ（図１の例では光ファイバ５１−１）から入力される光信号を電気信号に変換し、制御部２４−ｉから入力される電気信号を光信号に変換してポート１１−ｉに接続される光ファイバへ出力する。制御部２４−ｉは、ＰＯＮプロトコルに基づいてＯＬＴ側の処理を実施する。制御部２４−ｉは、ポート１１−ｉに接続する光ファイバに接続するＯＮＵに対して送信する信号を生成し、光送受信器２３−ｉに入力する。また、光送受信器２３−ｉ経由でＯＮＵから受信した信号に基づいた処理を実施する。
【００１５】
設定制御部２２−ｉは、設定情報管理部１３から入力された自身に対応するポートの設定情報（ポート１１−ｉ設定情報）を保持する。ポート１１−ｉ設定情報は、ポート１１−ｉに接続される各ＯＮＵの設定情報（ＯＮＵ１−１設定情報、ＯＮＵ１−２設定情報等）を含む。各ＯＮＵの設定情報には、各ＯＮＵの固有情報（例えば、ＯＮＵのＭＡＣ（Ｍｅｄｉａ  Ａｃｃｅｓｓ  Ｃｏｎｔｒｏｌ）アドレス、ＶＬＡＮ（Ｖｉｒｔｕａｌ  Ｌｏｃａｌ  Ａｒｅａ  Ｎｅｔｗｏｒｋ）などの転送処理設定、帯域割当などに関するサービス情報等）が含まれる。装置識別部２１−ｉは、ポート１１−ｉに接続する光ファイバを介してＯＮＵから受信した信号に格納されたＯＮＵの固有情報を設定制御部２２−ｉに保持されているポート１１−ｉ設定情報内の各ＯＮＵの設定情報と比較し、一致するものがある場合、一致した設定情報に基づいて該ＯＮＵとの間の設定を行う。
【００１６】
図２は、本実施の形態のＯＮＵ１−１の構成例を示す図である。ＯＮＵ１−２〜ＯＮＵ１−ｍの構成は、ＯＮＵ１−１の構成と同様である。ポート１１−２に接続されるＯＮＵ２−１〜２−ｋの構成もＯＮＵ１−１と同様である。図２では、ＯＮＵ１−１が、端末２００−１，２００−２と接続される例を示しているが、ＯＮＵ１−１が接続される端末の台数はこれに限定されない。また、端末が接続されていなくてもよい。
【００１７】
ＯＮＵ１−１は、冗長切替保護タイマ１００、光送受信器１０１、送信バッファ１０２、受信バッファ１０３、物理層処理部（ＰＨＹ）１０４−１，１０４−２および制御部１０５を備える。光送受信器１０１は、ＯＬＴ１０から送信された光信号を、光ファイバ５１−１、スプリッタ５０−１および支線ファイバ経由で受信し、受信した光信号を電気信号に変換する。また、光送受信器１０１は、制御部１０５から入力される電気信号を光信号に変換し、支線ファイバ、スプリッタ５０−１および光ファイバ５１−１経由でＯＬＴ１０へ送信する。制御部１０５は、ＰＯＮプロトコルに基づいてＯＮＵ側の処理を実施する。制御部１０５は、ＯＬＴに対して送信する信号を生成し光送受信器１０１に入力し、光送受信器１０１から入力された信号に基づいた処理を実施する。
【００１８】
送信バッファ（上りバッファ）１０２は、ＯＬＴ１０への送信データ（上りデータ）を格納するためのバッファであり、受信バッファ（下りバッファ）１０３はＯＬＴ１０からの受信データ（下りデータ）を格納するためのバッファである。ＰＨＹ１０４−１，１０４−２は、端末２００−１，２００−２との間で、それぞれＵＮＩ（Ｕｓｅｒ  Ｎｅｔｗｏｒｋ  Ｉｎｔｅｒｆａｃｅ）等の物理インタフェース機能を実現する。
【００１９】
冗長切替保護タイマ１００は、冗長化されたＯＬＴへ接続されている場合に用いるタイマであり、冗長化されたＯＬＴへの接続が予定されてない場合は備えていなくてもよい。冗長切替保護タイマ１００は、誤接続時にＯＬＴからの信号を正しく受信できず待機したままとなることを防ぐため、一定時間を計測する。この冗長切替保護タイマ１００がタイムアウトした場合（一定時間以上ＯＬＴから信号を受信しなかった場合）、ＯＮＵ１−１は誤接続と判断する。
【００２０】
次に動作について説明する。ＯＬＴ１０には、設定情報管理部１３にＯＬＴ情報を設定しておく。ＯＬＴ情報には、上述のように、ポートごとの設定情報を含み、ポートごとの設定情報には各ＯＮＵの設定情報を含む。ポート１１−１〜１１−ｎおよびポート制御部１２−１〜１２−ｎは、例えば、スロットに挿入可能なカードとして実装される。１つのカードには１組（１組は１つのポートと対応するポート制御部）または複数組のポート１１−１〜１１−ｎおよびポート制御部１２−１〜１２−ｎが実装される。ＯＬＴ１０は、１つ以上のスロットを備える。ＯＬＴ１０のスロットには、ＯＬＴ１０の起動時にすでにカードが挿入されていてもよいし、途中からカードが挿入されてもよい。すなわち、ポート制御部１２−１〜１２−ｎは、ＯＬＴ１０の起動時にすでにＯＬＴ１０内にあってもよく、ＯＬＴ１０の起動後に後から追加されてもよい。ポート制御部１２−１〜１２−ｎは自身が実装されたカードがスロットに挿入されると、起動状態となる。
【００２１】
図３は、本実施の形態のＯＬＴ１０の接続管理動作の一例を示すフローチャートである。ＯＬＴ１０では、電源起動後、接続管理部１４が、起動中のポート制御部１２−１〜１２−ｎについて、対応するポート設定情報を設定情報管理部１３から読み出して複製し、複製したポート設定情報をポート制御部１２−１〜１２−ｎに設定する（ステップＳ１）。例えば、ポート制御部１２−１が起動中の場合、ポート制御部１２−１には、設定情報管理部１３のＯＬＴ情報内のポート１１−１設定情報を複製して入力する。ポート設定情報を受け取ったポート制御部１２−１〜１２−ｎでは、設定制御部２２−１〜２２−ｎにポート設定情報を保持し、保持しているポート設定情報に基づいて通信を行うための設定を実行する。
【００２２】
接続管理部１４は、起動中の全ポート制御部１２−１〜１２−ｎについて、ポート設定情報の設定（ステップＳ１の処理）が終了したか否かを判断し（ステップＳ２）、終了していない場合（ステップＳ２  Ｎｏ）は、処理対象のポート制御部１２−１〜１２−ｎを変更して、ステップＳ１を実施する。起動中の全ポート制御部１２−１〜１２−ｎについて、ポート設定情報の設定が終了する（ステップＳ２  Ｙｅｓ）と、ポート制御部１２−１〜１２−ｎは、それぞれＯＮＵとの接続処理を開始する（ステップＳ３）。なお、図３では、ステップＳ３をステップＳ１、Ｓ２の後に記載しているが、全ポート制御部１２−１〜１２−ｎへのポート設定情報の設定終了を待たずに、ポート設定情報を設定されたポート制御部１２−１〜１２−ｎから順にステップＳ３以降を実施してよい。
【００２３】
以下、ステップＳ４以降の処理について、ポート制御部１２−１を例に説明するが起動中のポート制御部１２−１〜１２−ｎで同様の処理が実施される。ＯＮＵとの接続処理の過程で、ＯＬＴ１０はＯＮＵから送信された信号を受信するが、この信号には送信元のＯＮＵの固有情報が格納されている。制御部２４−１は、光送受信器２３−１経由でＯＮＵから受信した信号から送信元のＯＮＵの固有情報を抽出して、装置識別部２１−１へ渡す。装置識別部２１−１は、制御部２４−１から受け取ったＯＮＵの固有情報（接続しているＯＮＵから受信した固有情報）とポート設定情報に含まれるＯＮＵの固有情報とを比較する（ステップＳ４）。一致した（ポート設定情報に制御部２４−１から受け取ったＯＮＵの固有情報と一致するＯＮＵ設定情報があった）場合（ステップＳ５  Ｙｅｓ）、該ＯＮＵ設定情報に基づいて該ＯＮＵとの間の通信の設定を行う（ステップＳ６）。
【００２４】
このようにして、ＯＮＵは、オペレータ等がＯＬＴ１０の設定情報管理部１３に設定した設定情報に基づいて動作することが可能となる。一方、メンテナンス等で光ファイバを誤接続した場合、オペレータが意図したポートと異なるポートにＯＮＵが接続されてしまうことになる。例えば、オペレータが、ＯＮＵ１−１がポート制御部１２−１に接続されるように設定した場合、ポート制御部１２−１の設定制御部２２−１には、ＯＮＵ１−１設定情報が保持されているが、ポート制御部１２−２の設定制御部２２−２には、ＯＮＵ１−１設定情報が保持されていない。このような状態で、光ファイバ５１−１が誤ってポート１１−２に接続されると、ポート制御部１２−２の装置識別部２１−２は、ステップＳ５で一致しないと判断する。
【００２５】
図４は、誤接続が生じた場合のＯＬＴ１０内の処理の流れを示す図である。図４では、上述したようにＯＮＵ１−１がポート制御部１２−１に接続されるように設定されている場合に、光ファイバ５１−１が誤ってポート１１−２に接続された例を示している。図３および図４を用いて、誤接続が生じた場合のＯＬＴ１０の動作を説明する。
【００２６】
ステップＳ５で一致しない（ポート設定情報に制御部２４−１から受け取ったＯＮＵの固有情報と一致するＯＮＵ設定情報がない）場合（ステップＳ５  Ｎｏ）、装置識別部２１−１は、接続管理部１４へ、制御部２４−１から受け取ったＯＮＵの固有情報を転送する（ステップＳ７）。すなわち、装置識別部２１−１は、制御部２４−１から受け取ったＯＮＵの固有情報を転送することにより、接続管理部１４へ設定情報の変更の要求を通知する。接続管理部１４は、転送された固有情報に対応するＯＮＵの接続先が設定された接続先と異なる（誤接続である）ことを認識し、設定情報管理部１３のＯＬＴ設定情報を検索して、転送された固有情報を含むＯＮＵ設定情報を含むポート設定情報を抽出する。そして、抽出したポート設定情報を複製して、固有情報の転送元のポート制御部１２−１〜１２−ｎへ設定する（ステップＳ８）。その後、新たなポート設定情報を受け取ったポート制御部１２−１〜１２−ｎが、新たなポート設定情報に基づいて設定を行い、ステップＳ６を実施する。
【００２７】
例えば、図４の例では、ポート制御部１２−２の装置識別部２１−２が、ＯＮＵ１−１の固有情報を接続管理部１４に転送する。接続管理部１４は、ポート１１−１設定情報を複製してポート制御部１２−２に設定する。これにより、ポート制御部１２−２では、通信を行うことができる。
【００２８】
また、ＯＬＴ１０の起動時だけでなく、接続管理部１４がスロットにカードが挿入されたか否かを監視し、スロットにカードが挿入されたことを検出した場合、新たに挿入されたカードに搭載されているポート制御部１２−１〜１２−ｎに対して、図３に示した処理と同様の処理を実施する。
【００２９】
以上述べた動作を行うことで、接続先ポートを誤ってしまった場合においても、光ファイバの接続先を訂正することなくサービスを開始させることが可能となる。また、誤接続の場合だけでなく、スロットにカードが追加され、それまでＯＮＵが接続していたポートを、追加したカードのポートに意図的に変更した場合等にも、設定情報を変更することなく、追加したカードのポート制御部がＯＮＵとの通信を行うことができる。
【００３０】
このように、本実施の形態では、ポート制御部１２−１〜１２−ｎがそれぞれ保持しているＯＮＵ設定情報とＯＮＵから受信した信号とを比較し、接続しているＯＮＵに対応するＯＮＵ設定情報を保持していないと判断した場合、接続しているＯＮＵの情報を接続管理部１４へ通知する。そして、接続管理部１４が、通知されたＯＮＵに対応するＯＮＵ設定情報を含むポート設定情報を通知元のポート制御部１２−１〜１２−ｎへ設定するようにした。このため、誤接続が生じた場合にも、運用保守作業者が接続誤りを修正することなく、適切にサービスを開始させることができる。これによって、運用保守の接続誤りの修正時間を削減することができるようになる。
【００３１】
実施の形態２．
図５は、本発明にかかるＰＯＮシステムの実施の形態２の構成例を示す図である。本実施の形態のＰＯＮシステムは、ＯＮＵ１−１〜１−ｍと、ＯＬＴ１０ａと、スプリッタ５２とを備える。ＯＮＵ１−１〜１−ｍの構成は、実施の形態１のＯＮＵ１−１と同様である。実施の形態１と同様の機能を有する構成要素は実施の形態１と同一の符号を付して重複する説明を省略する。以下、実施の形態１と異なる部分を説明する。
【００３２】
実施の形態１では、誤接続時にＯＮＵ設定情報を移設して通信を開始できるようにした。本実施の形態では、幹線ファイバ、ポートおよびポート制御部を冗長化した構成において、誤接続によるリンク断を防止する方法について述べる。
【００３３】
本実施の形態では、スプリッタ５２は、ＯＮＵ１−１〜ＯＮＵ１−ｍへ接続されるとともに、光ファイバ５１−１〜５１−ｎによりＯＬＴ１０ａと接続される。光ファイバ５１−１〜５１−ｎ、ポート１１−１〜１１−ｎ、ポート制御部１２ａ−１〜１２ａ−ｎのうち１組以上は運用系であり、別の１組以上は冗長系である。ここでは、ｎ＝３とし、光ファイバ５１−１、ポート１１−１およびポート制御部１２ａ−１を運用系＃１とし、光ファイバ５１−３、ポート１１−３およびポート制御部１２ａ−３を運用系＃２とし、光ファイバ５１−２、ポート１１−２およびポート制御部１２ａ−２を冗長系とする例について説明する。
【００３４】
ＯＬＴ１０ａは、ポート１１−１〜１１−ｎ、ポート制御部１２ａ−１〜１２ａ−ｎ、設定情報管理部１３および接続管理部１４を備える。ポート制御部１２ａ−１〜１２ａ−ｎは、実施の形態１のポート制御部１２−１〜１２−ｎにそれぞれ接続ポート照合部（ポート照合部）２５−１〜２５−ｎを追加し、設定制御部２２−１〜２２−ｎをそれぞれ設定制御部２２ａ−１〜２２ａ−ｎに替える以外は、ポート制御部１２−１〜１２−ｎと同様である。
【００３５】
設定制御部２２ａ−１〜２２ａ−ｎは、ポート設定情報として実施の形態１で述べたＯＮＵ設定情報に加え、冗長切替情報を保持する。帯域割当通知に対して宅内装置から一定時間以内に応答があったか否かを判断し、一定時間以内に応答が無かった場合、接続管理部１４から他のポートに対応するポート設定情報の取得を要求する。
【００３６】
次に、本実施の形態の動作について説明する。本実施の形態のＯＬＴ１０ａの起動時の動作は、実施の形態１のＯＬＴ１０の起動時の動作と同様である。図６は、冗長切替後の誤接続によるリンク断が発生する一例を示すチャート図である。図６は、図５に示すように、ポート１１−１とポート１１−ｎを運用系ポートとし、ポート１１−２を冗長系ポート（冗長ポート）とした構成例において、冗長切替後の誤接続によるリンク断が発生する例を示している。
【００３７】
まず、ＯＮＵ１−１〜１−ｍは運用系のポート１１−１に接続されているとする。このとき、ポート制御部１２ａ−１の設定制御部２２ａ−１は、ＯＮＵ１−１設定情報を保持しており、ＯＬＴ１０ａは正しい設定情報に基づいてＯＮＵ１−１との通信の設定を行っている。ＯＬＴ１０ａの制御部２４−１は、ＯＮＵ１−１に上り通信用の帯域を割当て、定期的に帯域割当通知を送信する（ステップＳ１１）。ＯＮＵ１−１は帯域割当通知に対する応答を送信する（ステップＳ１２）。
【００３８】
次に、ＯＮＵ１−１〜１−ｍの接続先のポートをポート１１−１からポート１１−２へ変更する冗長切替が行われる（ステップＳ１３）。ポート１１−２はポート１１−１の冗長系として設定されており、設定制御部２２ａ−２には、ポート１１−１設定情報と同じものが複製されて保持されているとする。したがって、冗長切替後も、ＯＬＴ１０ａの制御部２４−２は、ＯＮＵ１−１設定情報に基づいてＯＮＵ１−１に上り通信用の帯域を割当て、帯域割当通知を送信する（ステップＳ１４）。ＯＮＵ１−１は帯域割当通知に対する応答を送信する（ステップＳ１５）。
【００３９】
次に、冗長切り戻し（冗長系から運用系からの切替え）が実施される（ステップＳ１６）。本来は、この冗長切り戻しでは、ＯＮＵ１−１〜１−ｍの接続先のポートをポート１１−２からポート１１−１へ戻すが、この冗長切り戻しにおいて誤接続が生じ、ＯＮＵ１−１〜１−ｍがポート１１−ｎに接続されたとする。ポート１１−ｎの設定制御部２２ａ−ｎには、ポート１１−ｎ設定情報が保持されており、このなかにはＯＮＵ１−１〜１−ｍの設定情報ではなく、ＯＮＵｎ−１等の設定情報が保持されている。このため、ポート１１−ｎの制御部２４−ｎは、ＯＮＵｎ−１設定情報に基づいてＯＮＵ１−１に上り通信用の帯域を割当て、帯域割当通知を送信する（ステップＳ１７）。この帯域割当通知は宛先（ＯＮＵｎ−１）が誤っているため、ＯＮＵ１−１の制御部１０５では受信されない（ステップＳ１８）。このため、ＯＮＵ１−１の冗長切替保護タイマ１００がタイムアウトし、制御部１０５は、誤接続と判定し、ＯＮＵ１−１とＯＬＴ１０ａとの間のリンクを切断する（ステップＳ１９）。これにより、ＯＮＵ１−１へのサービスが中断する。
【００４０】
本実施の形態では、このようなリンク断を防ぐため、ＯＬＴ１０ａの運用系のポート制御部１２ａ−１〜１２ａ−ｎは、冗長系からの切り戻し後に、帯域割当通知に対してＯＮＵから応答が無かった場合、他のポートのポート設定情報を元に帯域割当通知を送信する。そして、ＯＮＵから応答があったポート設定情報を自身に設定するよう接続管理部１４にデータ移設を要求する。接続管理部１４は、要求に基づいてポート設定情報を要求元のポート制御部１２ａ−１〜１２ａ−ｎへ設定する。これにより、冗長切り戻し時に誤接続が生じた場合にも、リンク断によるサービス中断を防ぐことができる。
【００４１】
図７は、本実施の形態の冗長系からの切り戻し後の動作の一例を示すチャート図である。ステップＳ１１〜ステップＳ１７は、図６の例と同様である。ＯＬＴ１０ａの制御部２４−ｎは、ステップＳ１７で帯域割当通知を送信した後、一定時間内にＯＮＵ１−１から応答を受信しない場合、接続ポート照合部２５−ｎへポート照合を要求する。接続ポート照合部２５−ｎは、制御部２４−ｎからの要求に従い、ポート照合を実施する（ステップＳ２１）。このポート照合では、接続ポート照合部２５−ｎは、次の処理を実施する。接続ポート照合部２５−ｎは、接続管理部１４に対して、現在設定制御部２２ａ−ｎに設定情報を保持しているポート１１−ｎ以外のポート（例えば、ポート１１−１）のポート設定情報の取得を要求する。接続管理部１４は、要求されたポート設定情報を設定情報管理部１３から読み出して複製し、接続ポート照合部２５−ｎへ渡す。接続ポート照合部２５−ｎは、接続管理部１４から受け取ったポート設定情報を設定制御部２２ａ−ｎの冗長切替情報として格納する。図７の例では、冗長切替情報としてポート１１−１設定情報が格納されたとする。
【００４２】
制御部２４−ｎは、ステップＳ２１のポート照合により設定制御部２２ａ−ｎに格納された冗長切替情報を用いてＯＮＵへの帯域割当てを実施し、ＯＮＵ１−１へ帯域割当通知を送信する（ステップＳ２２）。冗長切替情報には、ＯＮＵ１−１設定情報が含まれており、この帯域割当通知は正しい宛先に送信される。このため、ＯＮＵ１−１は帯域割当通知に対する応答を送信する（ステップＳ２３）。同様に、制御部２４−ｎは、ＯＮＵ１−２へ帯域割当通知を送信する（ステップＳ２４）。ＯＮＵ１−２は、帯域割当通知に対する応答を送信する（ステップＳ２５）。接続ポート照合部２５−ｎは、ＯＮＵ１−１から応答が得られたため、接続管理部１４に対し、ポート１１−１設定情報をポート制御部１２ａ−ｎに設定するよう要求し、接続管理部１４は要求に基づいて、ポート１１−１設定情報をポート制御部１２ａ−ｎに設定する。これにより、設定制御部２２ａ−ｎには、ポート１１−１設定情報が保持され、以降も継続して通信を実施することができる。
【００４３】
なお、冗長切替情報を用いて送信した帯域割当通知に対して一定時間内にＯＮＵから応答がなかった場合、接続ポート照合部２５−ｎは、接続管理部１４に対してさらに別のポートのポート設定情報を要求する。そして、このポート設定情報を冗長切替情報として用いてステップＳ２２を実施する。
【００４４】
図８は、冗長切り戻し時のＯＬＴ１０ａにおける動作の一例を示すフローチャートである。まず、冗長切り戻しのための設定が行われる（ステップＳ３１）。具体的には、切り戻し後にＯＮＵが接続される予定のポートに対応するポート制御部に、該ポート制御部に対応するポート設定情報を設定する。図７の例の場合、ポート制御部１２ａ−１にポート１１−１設定情報が設定される。
【００４５】
その後、冗長切り戻しが実施される（ステップＳ３２）。切り戻し後にＯＮＵが接続されたポートに対応するポート制御部の制御部は、帯域割当通知をＯＮＵへ送信する（ステップＳ３３）。例えば、図７の例では、制御部２４−ｎが帯域割当通知をＯＮＵ１−１へ送信する。
【００４６】
ポート制御部の制御部は、ＯＮＵから応答があったか否かを判断し（ステップＳ３４）、応答があった（ステップＳ３４  Ｙｅｓ）場合、正常接続と判定し（ステップＳ３５）、切り戻し時の処理を終了する。以降は通常の通信を継続する。ＯＮＵから応答がなかった場合（ステップＳ３４  Ｎｏ）、指定時間（例えば、帯域更新周期などの一定時間）が満了したか否かを判断する（ステップＳ３６）。帯域更新周期とは、ＯＬＴ１０ａが帯域割当を実施する周期であり、一般にＯＬＴは帯域更新周期ごとに帯域割当通知を送信する。指定時間が満了していない場合（ステップＳ３６  Ｎｏ）、ステップＳ３４へ戻る。
【００４７】
指定時間が満了した場合（ステップＳ３６  Ｙｅｓ）、制御部はその旨を接続ポート照合部に通知し、接続ポート照合部は、全ポート分について検証（ポート照合）が完了したか否かを判断する（ステップＳ３７）。全ポート分について検証が完了していない場合（ステップＳ３７  Ｎｏ）、検証対象を別のポートに変更し（ステップＳ３８）、ステップＳ３３へ戻る。全ポート分について検証が完了した場合（ステップＳ３７  Ｙｅｓ）、接続補正（他のポートの設定情報を用いて通信を継続すること）が不可であると判断し、誤接続を通知し（ステップＳ３９）、切り戻し時の処理を終了する。誤接続の通知方法はどのような方法でもよいが、例えば、運用管理者に対して画面等による表示、アラーム音による通知をしてもよいし、ＯＬＴ１０ａが上位の管理装置に接続されている場合には、管理装置へ通知する方法でもよい。
【００４８】
なお、ポート照合の実行タイミングについては、冗長からの切り戻しの直後に実行してもよいし、設定情報の移行に時間を要する場合は、一度冗長系に再度切替を実行し、冗長系にＯＮＵが接続している間に、設定情報の移行を行い、設定情報の移行の完了後に再度切り戻しを行ってもよい。
【００４９】
また、本実施の形態では、帯域割当通知への応答の有無に基づいてＯＬＴ１０ａが、誤接続を判定するようにしたが、応答を要求する送信信号であれば帯域割当通知に限定されずどのような信号を用いてもよい。
【００５０】
以上のように、本実施の形態では、ＯＬＴ１０ａは、冗長切り戻しの際に、帯域割当通知に対するＯＮＵからの応答がなかった場合、他のポートの設定情報を用いて帯域割当通知を送信し、ＯＮＵから応答が得られたポートの設定情報を設定するようにした。このようにすることで、冗長構成時における光ファイバの接続誤りによるサービス中断を回避して、適切な設定情報を移設して運用を再開することが可能となる。
【００５１】
なお、本実施の形態では、冗長切り戻しにおいて誤接続が検出された場合に、接続ポート照合部が、１つずつ他のポートの設定情報を接続管理部１４に要求して取得するようしたが、接続管理部１４が、あらかじめ、複数のポートに対応するポート設定情報をポート制御部１２ａ−１〜１２ａ−ｎに設定するようにしてもよい。これにより、冗長切り戻し時に誤接続が生じた場合の他のポートの設定情報を取得するまでの時間を高速化でき、正しい設定情報をより高速に発見することができる。
【００５２】
実施の形態３．
図９は、本発明にかかるＰＯＮシステムの実施の形態３の構成例を示す図である。本実施の形態のＰＯＮシステムは、ＯＮＵ１−１〜１−ｍと、運用系ＯＬＴ８０−１，８０−３と、冗長系ＯＬＴ８０−２と、管理装置６０と、集線機器７０とを備える。ＯＮＵ１−１〜１−ｍの構成は、実施の形態１のＯＮＵ１−１と同様である。実施の形態１または２と同様の機能を有する構成要素は実施の形態１または２と同一の符号を付して重複する説明を省略する。以下、実施の形態１または２と異なる部分を説明する。
【００５３】
実施の形態１、２では、ＯＬＴが複数のポートを有し、ポートごとのポート制御部が、該ポートに接続する光ファイバにより接続するＯＮＵを制御する構成を説明した。本実施の形態では、光ファイバ５１−１〜５１−３がそれぞれ異なるＯＬＴに接続する構成について説明する。運用系ＯＬＴ８０−１，８０−３は、実施の形態２のＯＬＴ１０ａのポート制御部１２ａ−１〜１２ａ−ｎのうちの１つと同様の構成を有する。冗長系ＯＬＴ８０−２は、運用系ＯＬＴ８０−１，８０−３と同様の構成を有する。運用系ＯＬＴ８０−１，８０−３、冗長系ＯＬＴ８０−２内の各部の動作は、実施の形態２のポート制御部１２ａ−１、１２ａ−ｎ、１２ａ−２内の各部の動作と同様である。
【００５４】
管理装置６０は、制御部６１と通信制御部６２を備える。制御部６１は、設定情報管理部６３と接続管理部６４を備える。設定情報管理部６３には、運用系ＯＬＴ設定情報および冗長系ＯＬＴ設定情報をＯＬＴごとに保持する。これらのＯＬＴ設定情報は、実施の形態１、２の設定情報管理部１３に保持されるポート設定情報に相当する情報である。運用系ＯＬＴ設定情報および冗長系ＯＬＴ設定情報は、運用管理者等により設定される。
【００５５】
集線機器７０は、設定情報を保持する。接続管理部６４は、集線機器７０の起動時に、集線機器７０に接続するＯＬＴについてのＯＬＴ設定情報を集線機器７０へ設定する。例えば、集線機器７０が、運用系ＯＬＴ８０−１，８０−３と冗長系ＯＬＴ８０−２に接続している場合、集線機器７０は、運用系ＯＬＴ８０−１，８０−３と冗長系ＯＬＴ８０−２のそれぞれのＯＬＴ設定情報を管理装置６０から取得して保持する。
【００５６】
集線機器７０は、運用系ＯＬＴ８０−１，８０−３、冗長系ＯＬＴ８０−２の起動時にそれぞれに対応するＯＬＴ設定情報を設定する。運用系ＯＬＴ８０−１，８０−３、冗長系ＯＬＴ８０−２は、集線機器７０により設定されたＯＬＴ設定情報を用いて、実施の形態２のポート制御部と同様にＯＮＵとの通信を行う。そして、冗長切り戻しの際に、実施の形態２と同様に、帯域割当通知の応答の有無に基づいて誤接続が生じているか否かを判断する。誤接続が生じた場合、実施の形態２のステップＳ２１と同様に、運用系ＯＬＴ８０−１，８０−３の接続ポート照合部が管理装置６０へ他のＯＬＴの設定情報の取得を要求する。管理装置６０の接続管理部６４は、通信制御部６２経由でこの要求を取得すると、要求されたＯＬＴ設定情報を要求元の運用系ＯＬＴ８０−１，８０−３へ送信する。運用系ＯＬＴ８０−１，８０−３は、実施の形態２のポート制御部１２ａ−ｎと同様に管理装置６０から受信したＯＬＴ設定情報を用いて帯域割当通知を送信する。そして、ＯＮＵから応答が得られた場合、応答が得られたＯＬＴ設定情報を設定するよう管理装置６０へ要求する。管理装置６０は、この要求に基づいて集線機器７０の設定情報を更新する。例えば、運用系ＯＬＴ８０−３が冗長切り戻し時の誤接続を検出して、運用系ＯＬＴ８０−１の設定情報を用いた場合にＯＮＵから応答が得られたとすると、管理装置６０は、集線機器７０の設定情報のうち運用系ＯＬＴ８０−３の設定情報を運用系ＯＬＴ８０−１の設定情報に変更する。集線機器７０は、変更された運用系ＯＬＴ８０−３の設定情報（運用系ＯＬＴ８０−１の設定情報）を運用系ＯＬＴ８０−３に設定する。
【００５７】
集線機器７０は、ＯＬＴから受信したトラフィック情報（送信元ＭＡＣアドレス）などを学習し、学習した結果を用いて上位ネットワークから受信したフレームの宛先ＭＡＣアドレス情報を元に転送先を決定する。接続先のＯＬＴが、本実施の形態のように切り替わる場合、集線機器７０は、上位ネットワークから受信したフレームの転送先も変更する必要がある。このため、集線機器７０は、管理装置６０からの通知に基づいて、フレームの転送先を切り替える。具体的には、管理装置６０は、集線機器７０の転送先を冗長系ＯＬＴ８０−２への切り替える指示や、冗長系からの切り戻し（集線機器７０の転送先を冗長系ＯＬＴ８０−２から運用系ＯＬＴ８０−１へ戻す）の指示を、集線機器７０へ通知する。誤接続の生じていない場合は、これらの通知により集線機器７０は、正しい転送先へフレームを転送することができる。誤接続の生じた場合も、管理装置６０は、設定情報の変更を集線機器７０へ通知する。これにより、集線機器７０は転送先を切り替えることができる。例えば、管理装置６０は、上記の例のように、運用系ＯＬＴ８０−３からの通知により運用系ＯＬＴ８０−３に対して運用系ＯＬＴ８０−１の設定情報を設定する場合、集線機器７０に対しても、運用系ＯＬＴ８０−３の設定情報を運用系ＯＬＴ８０−１の設定情報に変更するよう通知する。これにより、集線機器７０は、ＯＮＵ１−１宛のフレームの転送先の切替えを行うことができる。すなわち、集線機器７０は、運用系ＯＬＴ８０−１の配下に接続されるべきであったＯＮＵ１−１宛のフレームを、誤接続によりＯＮＵ１−１と接続されている運用系ＯＬＴ８０−３へ転送することができる。
【００５８】
図１０は、本実施の形態の冗長切り戻し時の誤接続が生じた場合の動作の一例を示すチャート図である。冗長系ＯＬＴ８０−２は、冗長切替のために起動されると起動されたことを集線機器７０へ通知し（ステップＳ４１）、集線機器７０は、保持している設定情報に基づいて冗長系ＯＬＴ８０−２へ運用系ＯＬＴ８０−１の設定情報を通知する（ステップＳ４２）。なお、冗長系ＯＬＴ８０−２が運用系ＯＬＴ８０−１の冗長系として動作することはあらかじめ設定されているとする。
【００５９】
冗長系ＯＬＴ８０−２は、集線機器７０により設定された設定情報を用いた帯域割当通知をＯＮＵ１−１へ送信する（ステップＳ４３）。ＯＮＵ１−１は、帯域割当通知に対する応答を送信する（ステップＳ４４）。次に、冗長切り戻しが行われ（ステップＳ４５）、誤接続により、ＯＮＵ１−１が誤った運用系ＯＬＴに接続されたとする。ここでは、運用系８０−１へ接続されるべきであるのに、運用系ＯＬＴ８０−３へ接続されたとする。
【００６０】
運用系ＯＬＴ８０−３は、保持している設定情報に基づいて帯域割当通知をＯＮＵ１−１へ送信する（ステップＳ４６）。この帯域割当通知は誤った設定情報に基づいて送信されているため、ＯＮＵ１−１へ到着しない。運用系ＯＬＴ８０−３は、帯域割当通知に対する応答が一定時間以内に到着しないため応答無しと判断し（ステップＳ４７）、管理装置６０へ他のＯＬＴの設定情報の取得を要求する（ステップＳ４８）。
【００６１】
管理装置６０は、要求に基づいて他のＯＬＴ（運用系ＯＬＴ８０−１）の設定情報を運用系ＯＬＴ８０−３へ通知する（ステップＳ４９）。運用系ＯＬＴ８０−３は、通知された設定情報に基づいて帯域割当通知をＯＮＵ１−１へ送信する（ステップＳ５０）。この帯域割当通知は、正しい設定情報に基づいて送信されるため、ＯＮＵ１−１は、帯域割当通知に対する応答を送信する（ステップＳ５１）。運用系ＯＬＴ８０−３は、帯域割当通知に対する応答が得られたため、運用系ＯＬＴ８０−１の設定情報を自装置に設定するよう管理装置６０へ要求する（ステップＳ５２）。管理装置６０は、要求に基づいて集線機器７０の設定情報を変更し（ステップＳ５３）、集線機器７０は、変更された設定情報を運用系ＯＬＴ８０−３へ設定する（ステップＳ５４）。
【００６２】
また、実施の形態１と同様に、運用系ＯＬＴ８０−１，８０−３がそれぞれ保持しているＯＮＵ設定情報とＯＮＵから受信した信号とを比較し、接続しているＯＮＵに対応するＯＮＵ設定情報を保持していないと判断した場合、接続しているＯＮＵの情報を管理装置６０へ通知するようにしてもよい。そして、接続管理部６４が、通知されたＯＮＵに対応するＯＮＵ設定情報を含むＯＬＴ設定情報を集線機器７０の設定情報のうちの対応するＯＬＴ情報として設定するようにしてもよい。
【００６３】
なお、本実施の形態では、集線機器７０を経由して設定情報を管理装置６０から各ＯＬＴへ設定するようにしたが、集線機器７０を備えず、管理装置６０が直接各ＯＬＴへ設定するようにしてもよい。
【００６４】
以上のように、本実施の形態では、複数のＯＬＴを備え、複数のＯＬＴが、集線機器７０および管理装置６０に接続する構成において、設定情報管理部および接続管理部を管理装置６０内に備え、設定情報の移設を管理装置６０が管理するようにした。このため、複数のＯＬＴを備える構成において、ＯＬＴとＯＮＵの誤接続によるサービス中断を回避して、適切な設定情報を移設して運用を再開することが可能となる。
【産業上の利用可能性】
【００６５】
以上のように、本発明にかかる親局装置、子局装置、制御装置、光通信システムおよび接続管理方法は、ＰＯＮシステムに有用であり、特に、ＯＮＵの接続先を変更可能なＰＯＮシステムに適している。
【符号の説明】
【００６６】
１−１〜１−ｍ，２−１〜２−ｋ  ＯＮＵ、１０，１０ａ  ＯＬＴ、５０−１，５０−２，５２  スプリッタ、５１−１〜５１−ｎ  光ファイバ、１１−１〜１１−ｎ  ポート、１２−１〜１２−ｎ，１２ａ−１〜１２ａ−ｎ  ポート制御部、１３，６３  設定情報管理部、１４，６４  接続管理部、２１−１〜２１−ｎ  装置識別部、２２−１〜２２−ｎ，２２ａ−１〜２２ａ−ｎ  設定制御部、２３−１〜２３−ｎ，１０１  光送受信器、２４−１〜２４−ｎ，６１，１０５  制御部、２５−１〜２５−ｎ  接続ポート照合部、６０  管理装置、６２  通信制御部、７０  集線機器、８０−１，８０−３  運用系ＯＬＴ、８０−２  冗長系ＯＬＴ、１００  冗長切替保護タイマ、１０２  送信バッファ、１０３  受信バッファ、１０４−１，１０４−２  ＰＨＹ。
【図１】
0006005301.tif 000002
【図２】
0006005301.tif 000003
【図３】
0006005301.tif 000004
【図４】
0006005301.tif 000005
【図５】
0006005301.tif 000006
【図６】
0006005301.tif 000007
【図７】
0006005301.tif 000008
【図８】
0006005301.tif 000009
【図９】
0006005301.tif 000010
【図１０】
0006005301.tif 000011